(57)【要約】【課題】  通話中の相手に発信者の意向を伝えることができる電話装置を提供する。【解決手段】  電話装置は、通話しようとする相手先に発呼を行う発呼部（１０１ａ）と、外部から音声が入力される音声入力部（１０５ａ）と、相手先が通話中であった場合に、所定の条件が満たされると、音声入力部に入力された音声を認識して、文字データに変換する音声認識部（１０７）と、文字データを相手先の通話中に当該相手先に送信可能な送信部（１０１ｂ）とを備える。【選択図】図５
2015050471.tif 000002
【特許請求の範囲】
【請求項１】
通話しようとする相手先に発呼を行う発呼部と、
外部から音声が入力される音声入力部と、
前記相手先が通話中であった場合に、所定の条件が満たされると、前記音声入力部に入力された音声を認識して、文字データに変換する音声認識部と、
前記文字データを前記相手先の通話中に当該相手先に送信可能な送信部と
を備えた、電話装置。
【請求項２】
前記所定の条件は、発呼者によって前記音声認識を行う旨の指示がなされることを含む請求項１に記載の電話装置。
【請求項３】
前記相手先が通話中であった場合に、発呼者に対して通話中である旨の通知を行う通知部を備え、
前記所定の条件は、前記通知が行われてから第１期間が経過する前に前記音声入力部に音声が入力されることを含む請求項１に記載の電話装置。
【請求項４】
前記音声認識部は、前記所定の条件が満たされてから第２期間が経過するまでに前記音声入力部に入力された音声を認識する請求項１乃至請求項３のいずれかに記載の電話装置。
【請求項５】
前記所定の条件が満たされてから第２期間が経過するまでに切断処理が行われた場合、前記音声認識部は、当該切断処理までに前記音声入力部に入力された音声を認識して、文字データに変換し、前記送信部は、当該文字データを前記相手先に送信する請求項１乃至請求項３のいずれかに記載の電話装置。
【請求項６】
前記文字データを表示する表示部を備え、
前記送信部は、発呼者によって前記文字データを送信する旨の指示がなされた場合に当該文字データを送信する請求項１に記載の電話装置。
【請求項７】
前記相手先が通話中であった場合に、前記音声入力部に入力された音声のデータをそのまま送信するか又は前記文字データを送信するかを選択可能である旨の報知を行う選択報知部を備え、
前記所定の条件は、発呼者によって前記文字データを送信する旨の選択がなされることである請求項１に記載の電話装置。
【請求項８】
前記所定の条件が満たされてから第２期間が経過するまでに前記音声入力部に音声が入力されなかった場合に、前記選択報知部は、前記音声のデータを送信するか又は前記文字データを送信するかを選択可能である旨の報知を再度行う請求項７に記載の電話装置。
【請求項９】
通話中に文字データを受信する受信部と、
前記文字データを受信した場合に、通話中に発呼を行っている発呼者からの文字データであるか否かを判断する文字データ判断部と、
前記発呼者からの文字データであると判断した場合、前記発呼者からの文字データである旨を報知する文字データ報知部とを備える、請求項１乃至請求項８のいずれかに記載の電話装置。
【請求項１０】
通話しようとする相手先に発呼を行う発呼ステップと、
前記相手先が通話中であった場合に、所定の条件が満たされたか否か判断する判断ステップと、
外部からの音声入力を受け付ける受付ステップと、
前記判断ステップにおいて所定の条件が満たされたと判断すると、入力が受け付けられた前記音声を認識して、文字データに変換する音声認識ステップと、
前記文字データを前記相手先の通話中に当該相手先に送信する送信ステップと
を備えた、発信方法。
【発明の詳細な説明】
【技術分野】
【０００１】
本発明は、例えば携帯電話機等の電話装置において発呼を行った相手が通話中である場合の処理技術に関する。
【背景技術】
【０００２】
従来、電話サービスにおいて、発呼時に着信側端末が他者と通話中だった場合に、接続要求があったことを着信側端末に通知するサービスが知られている。例えば、特許文献１には、発信側端末からテキストメッセージを通話制御装置で預かり、着信側端末が通話を終了したと同時に、このテキストメッセージを着信側端末に届けることが記載されている。
【先行技術文献】
【特許文献】
【０００３】
【特許文献１】特開２００９−１７０９６１号公報
【発明の概要】
【発明が解決しようとする課題】
【０００４】
しかし、上記の技術では、着信側端末が通話を終了するまで発信側端末からのメッセージが届けられない。発信側が着信側に緊急で連絡したいことがあっても、着信側が通話を終了するまでその意向は伝わらなかった。もし、着信側が長電話すると、緊急で連絡したいことがあっても間に合わない場合があった。よって、通話中の相手に発信者の意向を伝えることができる電話装置が望まれている。
【課題を解決するための手段】
【０００５】
本発明の一態様による電話装置は、通話しようとする相手先に発呼を行う発呼部と、外部から音声が入力される音声入力部と、前記相手先が通話中であった場合に、所定の条件が満たされると、前記音声入力部に入力された音声を認識して、文字データに変換する音声認識部と、前記文字データを前記相手先の通話中に当該相手先に送信可能な送信部とを備える。
【０００６】
本発明の一態様による発信方法は、通話しようとする相手先に発呼を行う発呼ステップと、前記相手先が通話中であった場合に、所定の条件が満たされたか否か判断する判断ステップと、外部からの音声入力を受け付ける受付ステップと、前記判断ステップにおいて所定の条件が満たされたと判断すると、入力が受け付けられた前記音声を認識して、文字データに変換する音声認識ステップと、前記文字データを前記相手先の通話中に当該相手先に送信する送信ステップとを備える。
【発明の効果】
【０００７】
本発明の一態様に係る電話装置および発信方法によれば、通話中の相手に発信者の意向を伝えることができる。
【図面の簡単な説明】
【０００８】
【図１】本発明の第１の実施形態による電話装置の外観を示す正面図である。
【図２】本発明の第１の実施形態による電話装置の外観を示す背面図である。
【図３】本発明の第１の実施形態による電話装置の電気的構成を主として示すブロック図である。
【図４】本発明の第１の実施形態による電話装置の動作を説明するための模式図である。
【図５】本発明の第１の実施形態による電話装置の機能ブロック図である。
【図６】音声認識部の構成例を示す機能ブロック図である。
【図７】ショートメッセージサービス（ＳＭＳ）において従来から使用されているサブパラメータを示す表である。
【図８】第１の実施形態による電話装置の発呼処理を示すフローチャートである。
【図９】第１の実施形態による電話装置の発呼処理を示すフローチャートである。
【図１０】第１の実施形態による電話装置において通話中に文字データを受信した場合の処理を示すフローチャートである。
【図１１】第１の実施形態による電話装置の発呼時の処理を説明するための図であり、（ａ）は、相手先の電話装置が通話中でない場合の処理、（ｂ）は、相手先の電話装置が通話中である場合の処理をそれぞれ説明するための図である。
【図１２】本発明の第２の実施形態による電話装置の機能ブロック図である。
【図１３】第２の実施形態による電話装置の発呼処理を示すフローチャートである。
【図１４】本発明の第３の実施形態による電話装置の機能ブロック図である。
【図１５】第３の実施形態による電話装置の発呼処理を示すフローチャートである。
【発明を実施するための形態】
【０００９】
以下、本発明の実施形態について図面を参照しつつ説明する。なお、以下で説明する電話装置は、一例として携帯電話機、より具体的にはスマートフォン（smart phone）であ
るが、本発明は、固定電話機、ＰＨＳ端末、衛星電話機、ＰＤＡなどの携帯端末、ＩＰ電話などを使用可能なコンピュータなどの各種端末にも適用可能である。
【００１０】
（第１の実施形態）
まず、本発明の第１の実施形態による電話装置である携帯電話機について説明する。
＜携帯電話機の外観＞
図１および図２は、それぞれ、携帯電話機１ａの外観を示す正面図および背面図である。図１および図２に示すように、携帯電話機１ａは、筐体２と、ディスプレイ３と、タッチパネル４と、マイクロフォン５と、通話スピーカ６と、外部スピーカ７と、撮像レンズ８とを備えている。
【００１１】
筐体２は、正面から見て、ほぼ長方形の輪郭を有する。筐体２の正面には、ディスプレイ３が設けられている。ディスプレイ３は、たとえば、液晶ディスプレイである。ディスプレイ３は、液晶ディスプレイ以外のディスプレイ、たとえば、有機ＥＬディスプレイであってもよい。
【００１２】
筐体２の正面には、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００１３】
筐体２の内部には、下端部にマイクロフォン５が配されている。マイクロフォン５は、筐体２の正面に形成されたマイク孔５ａを通過した音声を受け付ける。マイクロフォン５は、入力された音に応じた電気信号を生成する。また、筐体２の内部には、上端部に通話スピーカ６が配されている。通話スピーカ６は、音を出力する。出力された音声は、筐体２の正面に形成された出力孔６ａを通過して筐体２の外に放出される。通話の際には、通信先の電話装置（携帯電話機等）から受信された受話音声が通話スピーカ６から出力され、ユーザが発した発話音声がマイクロフォン５に入力される。なお、音は、音声、報知音等、様々な音を含む。
【００１４】
また、筐体２の内部には、外部スピーカ７が配されている。筐体２の背面には、外部スピーカ７と対向する領域に出力孔７ａが形成されている。外部スピーカ７から出力された音は、出力孔７ａを通過して筐体２の外に放出される。また、筐体２の背面には、後述する撮像部が有する撮像レンズ８が露出している。
【００１５】
＜携帯電話機の電気的構成＞
図３は、携帯電話機１ａの電気的構成の一例を示すブロック図である。図３に示すように、携帯電話機１ａは、制御部１１と、表示部１２と、タッチ検出部１３と、音声入力部１４と、音声出力部１５と、音声処理部１６と、キー入力部１７と、振動発生部１８と、無線通信部１９と、計時部２０と、撮像部２１と、記憶部２２と、電源部２３とを備えている。
【００１６】
制御部１１は、ＣＰＵを含む。制御部１１は、記憶部２２に記憶されたプログラムに従って、携帯電話機１ａを構成する各部（表示部１２、タッチ検出部１３、音声入力部１４、音声出力部１５、音声処理部１６、キー入力部１７、振動発生部１８、無線通信部１９、計時部２０、撮像部２１、記憶部２２等）を制御する。
【００１７】
表示部１２は、図１に示すディスプレイ３を含む。ディスプレイ３には、制御部１１からの制御信号と画像信号に基づき、画像（画面）が表示される。また、表示部１２は、ディスプレイ３が液晶ディスプレイの場合にはバックライト光源を含む。
【００１８】
タッチ検出部１３は、図１に示すタッチパネル４を含む。タッチ検出部１３は、ディスプレイ３へのユーザによるタッチ操作を、タッチパネル４により検出する。すなわち、タッチ検出部１３は、ユーザがタッチパネル４に触れた場合に、ユーザが触れた位置（以下、「タッチ位置」ともいう。）を検出する。タッチ検出部１３は、検出したタッチ位置に基づいて生成された位置信号を制御部１１へ出力する。
【００１９】
ディスプレイ３上にタッチパネル４が設けられるため、ユーザは、ディスプレイ３を視認しながらタッチパネル４を指で触れることにより様々なタッチ操作を行うことができる。タッチ操作は、たとえば、タップ操作、フリック操作、スライド操作、ドラッグ操作等を含む。
【００２０】
音声入力部１４は、マイクロフォン５を含む。音声入力部１４は、マイクロフォン５からの電気信号を音声処理部１６へ出力する。
【００２１】
音声出力部１５は、通話スピーカ６および外部スピーカ８を含む。音声出力部１５には、音声処理部１６からの電気信号が入力される。音声出力部１５は、通話スピーカ６または外部スピーカ８から音を出力させる。
【００２２】
音声処理部１６は、音声入力部１４からの電気信号にＡ／Ｄ変換等を施し、変換後のデジタルの音声信号を制御部１１へ出力する。音声処理部１６は、制御部１１からのデジタルの音声信号にデコード処理およびＤ／Ａ変換等を施し、変換後の電気信号を音声出力部１５に出力する。
【００２３】
キー入力部１７は、少なくとも１つ以上のハードキー（図示せず）を含む。たとえば、キー入力部１７は、携帯電話機１ａに電源を投入するための電源キーなどを含む。キー入力部１７は、携帯電話機１ａに配された各種ハードキーのうち、少なくとも一つのキーが押下されたときに、押下されたハードキーに対応する信号を制御部１１に出力する。
【００２４】
振動発生部１８は、制御部１１により記憶部２２に記憶している振動パターンのデータ
に基づいて携帯電話機本体を振動させる。この振動発生部１８は、例えば小型モータ、そのモータで回転駆動されて振動を発生させる振動体、及び回転駆動源を駆動する駆動回路等を含む。上記モータの回転軸には、その回転中心軸から重心をかたよらせた重りが取り付けられた振動体が設けられている。モータで回転軸が回転駆動されると、上記重りが取り付けられた振動体が振動ことにより振動が発生する。この構成の場合、上記モータへの電流供給をオンすると振動が発生し、その電流供給をオフすると振動が停止する。
【００２５】
無線通信部１９は、通話や通信を行うため、信号を変換するための回路、電波を送受信するアンテナ１９ａ等を備える。無線通信部１９は、制御部１１から入力される通話や通信のための信号を無線信号に変換し、変換された無線信号を、アンテナ１９ａを介して基地局や他の通信装置等の通信先へ送信する。さらに、通信部２０は、アンテナ１９ａを介して受信した無線信号を制御部１１が利用できる形式の信号へ変換し、変換された信号を制御部１１へ出力する。
【００２６】
計時部２０は、制御部１１の制御により、時間を計測する。携帯電話機１ａにおいて、計時部２０は、着信側の端末が通話中であることがユーザに通知されてから所定の期間を計測する。
【００２７】
撮像部２１は、撮像レンズ８及び撮像素子などで構成されており、制御部１１による制御に基づいて、静止画像及び動画像を撮像する。図２に示されるように、撮像レンズ８は、携帯電話機１ａの裏面に設けられていることから、携帯電話機１ａの裏面側に存在する物体を撮像することが可能である。
【００２８】
記憶部２２は、ＲＯＭ、ＲＡＭ、外部メモリを含む。記憶部２２には、各種のプログラムが記憶されている。記憶部２２に記憶されるプログラムは、携帯電話機１ａの各部を制御するための制御プログラムの他、各種アプリケーションプログラム（たとえば、ホーム、通話、電子メール、ウェブブラウザ、地図、ゲーム、スケジュール管理等）を含む。プログラムは、メーカによって携帯電話機１ａの製造時に記憶部１２に記憶される他、ユーザによって通信網やメモリカード、ＣＤ−ＲＯＭ等の記憶媒体を介して記憶部２２に記憶される。
【００２９】
記憶部２２には、プログラムの実行の際、一時的に利用または生成されるデータを記憶するワーキング領域も含まれる。
【００３０】
電源部２３は、バッテリーおよび残量検出部を含む。電源部２３は、バッテリーの電力を制御部１１および制御部１１以外の各部に供給する。また、電源部２３は、外部電源からの電力をバッテリーに供給して、バッテリーを充電する。さらに、電源部２３は、残量検出部により検出されたバッテリーの残量に応じた検出信号を制御部１１に出力する。
【００３１】
＜携帯電話機の機能および動作＞
図４（ａ）に示すように、本実施形態に係る携帯電話機１ａ（以下、「電話装置Ａ」ともいう。）は、通話しようとする相手先（以下、「電話装置Ｂ」ともいう。）に発呼を行って、その相手先が別の相手（電話装置Ｃ）と通話中であった場合に、所定の条件が満たされると、入力された音声を認識して、文字データに変換し、その変換後の文字データを通話中の相手先に送信する機能を有する。また、図４（ｂ）に示すように、携帯電話機１ａは、電話装置Ｃと通話中に文字データを受信した場合に、通常のメール等ではなく、通話中に発呼を行っている発呼者（電話装置Ｂ）からの文字データであるか否かを判断し、発呼者（電話装置Ｂ）からの文字データであると判断した場合は、発呼者からの文字データである旨をユーザに報知する機能を有する。なお、本明細書において電話装置Ｃとは、電話装置Ａおよび電話装置Ｂ以外の任意の電話装置のことである。
【００３２】
以下に、携帯電話機１ａの当該機能を発揮するための構成と動作について詳述する。図５は、携帯電話機１ａにおける当該機能を発揮するための構成の一例を示す機能ブロック図である。図５に示すように、携帯電話機１ａは、通信部１０１と、話中検出部１０２と、出力部１０３と、計時部１０４と、入力部１０５と、条件判断部１０６と、音声認識部１０７と、切断検出部１０８と、文字データ判断部１０９とを備える。
【００３３】
通信部１０１は、発呼部１０１ａと、文字データ送信部１０１ｂと、文字データ受信部１０１ｃとを備える。出力部１０３は、通知部１０３ａと文字データ報知部１０３ｂとを有し、入力部１０５は、音声入力部１０５ａを有する。
【００３４】
図３を考慮すると、通信部１０１は、無線通信部１９によって構成することができ、話中検出部１０２、条件判断部１０６、音声認識部１０７、切断検出部１０８および文字データ判断部１０９は、制御部１１および記憶部２２によって構成することができる。また、出力部１０３は、表示部１２、音声出力部１５、振動発生部１９によって構成することができ、入力部１０５は、タッチ検出部１３、音声入力部１４、キー入力部１７および撮像部２１によって構成することができる。さらに、計時部１０４は、計時部２０によって構成することができる。
【００３５】
通信部１０１は、他の電話装置（例えば、電話装置Ｂ）との通信を行う部分であり、通信部１０１（発呼部１０１ａ）は、電話装置Ｂに対して発呼を行うことができる。また、通話部１０１は、電話装置Ｂが他の電話装置（電話装置Ｃ）と通話中である場合には、電話装置Ｂが通話中であることを示す話中信号を受信することができる。
【００３６】
話中検出部１０２は、通信部１０１が話中信号を受信すると、この話中信号により電話装置Ｂが通話中であることを検出する。
【００３７】
通知部１０３ａは、話中検出部１０２により電話装置Ｂが通話中であることが検出されると、携帯電話機１ａのユーザ、すなわち発呼者に対し、着信側の電話装置Ｂが通話中である旨の通知を行う。この通知は、音声出力部１５によって音声が出力される、又は振動発生部１８により携帯電話機１ａの本体が振動させられることにより行われてよい。また、当該通知は、表示部１２にメッセージ等の何らかの表示がなされることにより行われてもよく、さらには、これらが組み合わされることにより行われてもよい。
【００３８】
計時部１０４は、話中検出部１０２により電話装置Ｂが通話中であることが検出されると、時間の計測を開始する。計測を開始してから所定の期間（以下、第１期間）が経過すると、第１期間が経過したことを示す信号（以下、「第１期間経過通知信号」という。）を条件判断部１０６に出力する。なお、計時部１０４は、条件判断部１０６に第１期間が経過したことを通知できればよいので、必ずしも第１期間経過通知信号を出力する必要はなく、例えば、条件判断部１０６に随時経過時間を通知するものであってもよい。なお、第１の期間は、予め設定されていても、携帯電話機１ａのユーザが任意に設定可能であってもよい。
【００３９】
入力部１０５の音声入力部１０５ａには、外部から音声が入力される。入力された音声は、音声認識部１０７に出力される。この場合、音声が入力されたことを示す信号（以下、「音声入力通知信号」という。）が条件判断部１０６に出力されてもよい。
【００４０】
条件判断部１０６は、話中検出部１０２により電話装置Ｂが通話中であることが検出されると、所定の条件が満たされたか否か判断する。本実施形態において、所定の条件とは、通知部１０３ａによる通知が行われてから、第１期間が経過する前に音声が入力され
ることである。条件判断部１０６は、計時部１０４から第１期間経過通知信号を受け取る前に、入力部１０５に音声が入力された場合、例えば入力部１０５から音声入力通知信号を受け取った場合には、所定の条件が満たされたと判断し、第１期間経過通知信号を受け取る前に入力部１０５に音声が入力されなかった場合、例えば音声入力通知信号を受け取らなかった場合には、所定の条件が満たされなかったと判断する。
【００４１】
音声認識部１０７は、条件判断部１０６によって所定の条件が満たされたと判断されると、入力部１０５の音声入力部１０５ａから出力された音声を認識して、文字データに変換する。そして、その文字データを通信部１０１に出力する。
【００４２】
この文字データは、例えば、ＳＭＳにおける文字メッセージ（以下、単に「ショートメッセージ」ともいう。）として通信部１０１に出力されてもよい。図６は、この場合の音声認識部１０７の構成例を示す機能ブロック図である。図６に示すように、音声認識部１０７は、音声変換部１０７ａとＳＭＳ作成部１０７ｂとを有する。ＳＭＳ作成部１０７ｂは、電話装置Ｂの電話番号を記憶部２２から読みだして宛先に設定するとともに、上記文字データを本文としたショートメッセージを作成する。なお、電話装置Ｂの電話番号は、携帯電話機１ａが発呼を行う際に記憶部２２に記憶される。また、ＳＭＳ作成部１０７ｂは、音声認識部１０７によって作成されるショートメッセージ、すなわち電話装置Ｂと電話装置Ｃの通話中に電話装置Ｂに対する発呼者から送信されるショートメッセージと、通常のショートメッセージ、すなわち電話装置Ｂと電話装置Ｃの通話中以外に送信される、又は電話装置Ｂに対する発呼者以外から送信されるメッセージとを区別するために、新たなサブパラメータをショートメッセージに設定する。
【００４３】
ここで、サブパラメータとは、メッセージ種類の区分（Message Identifier）、メッセージの具体的なコンテンツ（User Data）、メッセージに使用された言語（Language Indicator）など、メッセージに関する種々の事項を示すものである。ショートメッセージサ
ービスにおける個々のパケットは、サブパラメータとその具体的内容を示すデータとをセットで含んでいる。本実施形態においては、音声認識部１０７によって作成されるショートメッセージに対して新たなサブパラメータ、具体的には新たなサブパラメータＩＤ値を設定し、そのようなＩＤ値を持たない通常のショートメッセージと区別する。なお、新たなサブパラメータＩＤ値とは、図７の表に示された、従来から使用されているサブパラメータＩＤ値以外のＩＤ値（８ビットの数）である。なお、図７の表は、ＳＭＳの規約であるＴＩＡ/ＥＩＡ−637−Ａ（１９９９年９月９日発行）から引用した。
【００４４】
通信部１０１の文字データ送信部１０１ｂは、電話装置Ｂに当該文字データ、例えば、ショートメッセージを送信する。なお、電話装置Ａと電話装置Ｂとの間において、通話とショートメッセージの送受信とはともに電話回線を用いて行われる。この電話回線は、電話装置Ａと電話装置Ｂとが通話中であっても、同じ電話回線を利用して電話装置Ａから電話装置Ｂに対してショートメッセージの送信を行うことができる。
【００４５】
切断検出部１０８は、入力部１０５から通話を切断する操作が行われたことを示す信号が入力される、又は通信部１０１によって電話装置Ｂから切断信号が受信されると、通信が切断されたことを検出する。
【００４６】
通信部１０１の文字データ受信部１０１は、携帯電話機１ａが他の電話装置（電話装置Ｃ）と通話中に電話装置Ｂから文字データを受信することができる。文字データ受信部１０１は、電話装置Ｂから受信した文字データを文字データ判断部１０９に送る。
【００４７】
文字データ判断部１０９は、文字データ受信部１０１から送られてきた文字データが、電話装置Ｂ、すなわち携帯電話機１ａの通話中に発呼を行っている発呼者からの文字デー
タであるか否かを判断する。ここで、文字データがショートメッセージであった場合、文字データ判断部１０９は、送られてきたショートメッセージに上述した新たなサブパラメータが設定されているか否か判断する。
【００４８】
出力部１０３の文字データ報知部１０３ｂは、文字データ判断部１０９が、送られてきたショートメッセージに上述した新たなサブパラメータが設定されている、すなわち発呼者からの文字データであると判断すると、着信側の携帯電話機１ａのユーザに対して、発呼者からの文字データを受信した旨を報知する。この報知は、音声出力部１５によって音声が出力される、又は振動発生部１８により携帯電話機１ａの本体が振動させられることにより行われてよい。なお、この報知は、通常のショートメッセージを受信した場合の報知とその態様を異ならせてもよい。
【００４９】
図８は、本実施形態の携帯電話機１ａにおける発呼処理を示すフローチャートである。この処理プログラムは記憶部２２内のＲＯＭに格納されており、制御部１１内のＣＰＵによって実行される。なお、これは、後に説明する図９，図１０，図１３,図１５のフロー
チャートについても同様である。
【００５０】
新たな発呼処理を行った場合（Ｓ１）、制御部１１は、相手先の電話装置Ｂが通話中であるか否か判断する（Ｓ２）。通話中であると判断した場合（Ｓ２：ＹＥＳ）、制御部１１は、例えば音声出力部１５や振動発生部１８に音又は振動を出力させることにより、携帯電話機１ａのユーザに電話装置Ｂが通話中である旨を通知させ（Ｓ３）、さらに、計時部２０に、当該通知が行われてからの時間を計測させる（Ｓ４）。
【００５１】
制御部１１は、例えば計時部２０から第１期間経過通知信号が出力されるか否かを判断することにより、通知が行われてから第１期間が経過したか否か判断する（Ｓ５）。第１期間が経過していないと判断した場合（Ｓ５：ＮＯ）、制御部１１は、音声入力部１４に入力される音声を受け付ける（Ｓ６）。
【００５２】
そして、制御部１１は、電話装置Ｂが切断処理を行ったか、又は電話装置Ａが切断処理を行ったかを判断する（Ｓ７）。ここで、制御部１１は、無線通信部１９を介して電話装置Ｂから切断信号が受信されたか否かを判断することにより電話装置Ｂが切断処理を行ったか否かの判断を行うことができ、タッチ検出部１３又はキー入力部１７に対して通話を切断するためのユーザ操作があったか否かを判断することにより、電話装置Ａが切断処理を行ったか否かの判断を行うことができる。電話装置Ｂ又は電話装置Ａにより、切断処理が行われたと判断した場合（Ｓ７：ＹＥＳ）、制御部１１は、本処理を終了する。切断処理が行われなかったと判断する場合（Ｓ７：ＮＯ）、制御部１１は、ステップ５に戻って処理を繰り返す。なお、制御部１１は、ステップ８以降、例えば、音声認識処理を行っている間に切断処理が行われたと判断した場合も、本処理を終了するようにしてよい。
【００５３】
一方、第１期間が経過していると判断する場合（Ｓ５：ＹＥＳ）、制御部１１は、第１期間内に、音声入力部１４を介して音声が入力されたか否か判断する（Ｓ８）。ここで、音声入力部１４から入力された音声は、一旦記憶部２２に記憶される（録音される）ようにしてもよい。この場合、制御部１１は、記憶部２２に音声が記憶されているか否かを判断する。
【００５４】
音声が入力されたと判断すると（Ｓ８：ＹＥＳ）、制御部１１は、例えば、記憶部２２に記憶されているアプリケーション等を利用して、入力された音声を文字データに変換し（Ｓ９）、その文字データを、無線通信部１９を介して電話装置Ｂに送信する（Ｓ１０）。
【００５５】
また、音声が入力されなかったと判断する場合（Ｓ８：ＮＯ）、制御部１１は、本処理を終了する。
【００５６】
次に、ステップ２において、制御部１１が相手先の電話装置Ｂが通話中でないと判断した場合の処理について説明する。図９に示すように、相手先の電話装置Ｂが通話中でないと判断した場合（Ｓ２：ＮＯ）、制御部１１は、発呼処理を継続し、電話装置Ｂが着信応答を行ったか否か判断する（Ｓ１１）。
【００５７】
着信応答を行ったと判断すると（Ｓ１１：ＹＥＳ）、制御部１１は、無線通信部１９等を制御して通話を開始する（Ｓ１２）。通話を開始すると、制御部１１は、電話装置Ｂが切断処理を行ったか、又は電話装置Ａが切断処理を行ったか、例えば、タッチ検出部１３又はキー入力部１７に対して通話を切断するためのユーザ操作があったか否かを判断する（Ｓ１３）。切断処理が行われていないと判断すると（Ｓ１３：ＮＯ）、制御部１１は、ステップ１２に戻って処理を繰り返す。一方、切断処理が行われたと判断すると（Ｓ１３：ＹＥＳ）、制御部１１は、本処理を終了する。
【００５８】
ステップ１１において、電話装置Ｂが着信応答を行っていないと判断すると（Ｓ１１：ＮＯ）、制御部１１は、電話装置Ｂが切断処理を行ったか、又は電話装置Ａが切断処理を行ったか否かを判断する（Ｓ１４）。切断処理が行われていないと判断すると（Ｓ１４：ＮＯ）、制御部１１は、ステップ１１に戻って処理を繰り返す。一方、切断処理が行われたと判断すると（Ｓ１４：ＹＥＳ）、制御部１１は、本処理を終了する。
【００５９】
図９は、本実施形態の携帯電話機１ａにおいて通話中に文字データを受信した場合の処理を示すフローチャートである。
【００６０】
制御部１１は、携帯電話機１ａが他の電話装置（電話装置Ｃ）と通話中に文字データを受信したか否かを判断する（Ｓ２１）。文字データを受信したと判断しない場合（Ｓ２１：ＮＯ）、制御部１１は、ステップ２１に戻って処理を繰り返す。文字データを受信したと判断した場合（Ｓ２１：ＹＥＳ）、制御部１１は、通話中に発呼を行っている、すなわち通話中の相手とは異なる発呼者からの文字データであるか否か判断する（Ｓ２２）。
【００６１】
発呼者からの文字データであると判断した場合（Ｓ２２：ＹＥＳ）、制御部１１は、発呼者からの文字データを受信したことを報知するための振動パターンや音量等のデータを記憶部１２から読みだして、それらに基づき振動発生部１８や音声出力部１５に振動や音声を出力させることにより、発呼者からの文字データを受信した旨の報知を行わせる（Ｓ２３）。
【００６２】
一方、発呼者からの文字データでないと判断した場合（Ｓ２２：ＮＯ）、制御部１１は、記憶部１２から通常の文字データを受信したこと報知するための振動パターンや音量等のデータを読み出して、それらに基づき振動発生部１８や音声出力部１５に振動や音声を出力させることにより、通常の文字データを受信した旨の報知を行わせる（Ｓ２４）。
【００６３】
なお、上述の処理では、発呼者からの文字データを受信したことを報知する態様と、通常の文字データを受信したこと報知する態様を異ならせたが、これ以外にも、例えば発呼者からの文字データを受信した場合には報知が行われ、通常の文字データを受信した場合には報知が行われないようにしてもよい。
【００６４】
次に、携帯電話機１ａ（電話装置Ａ）の発呼時の処理を、発呼時に電話装置Ｂが他の電話装置（電話装置Ｃ）と通話中でない場合と発呼時に電話装置Ｂが電話装置Ｃと通話中である場合とを比較して説明する。
【００６５】
まず、図１１（ａ）は、電話装置Ｂが電話装置Ｃと通話中でない場合の電話装置Ａの発呼時の処理を示している。図１１（ａ）に示すように、電話装置Ａが発呼処理を開始すると（Ｔ１）、電話装置Ｂは新規の発信源である電話装置Ａからの呼び出しを受ける（Ｔ２）。電話装置Ｂは、この呼び出しを受けると、自装置の着信状態、すなわち自装置が電話装置Ｃと通話中であるか否かを判定する（Ｔ３）。
【００６６】
電話装置Ｂは、自装置が電話装置Ｃと通話中でない場合、図１１（ａ）に示すように、電話装置Ａに対し、通話開始を要求する（Ｔ４）。電話装置Ａは、この通話開始要求を受けると、通話開始動作を行い（Ｔ５）、電話装置Ｂに対して音声データを送信する（Ｔ６）。これにより、電話装置Ａおよび電話装置Ｂは、通話状態に移行する。
【００６７】
一方、Ｔ３における判定の結果、電話装置Ｂが電話装置Ｃと通話中である場合、電話装置Ｂは、図１１（ｂ）に示すように、電話装置Ａに対し話中信号を出力する（Ｔ７）。電話装置Ａは、この話中信号を受け取ると、所定の条件を満たすか否か判断し、所定の条件満たす場合には、電話装置Ｂに対し、文字データの送信を開始する（Ｔ８）。電話装置Ｂは、文字データを受信すると、受信したことを示す報知を行う（Ｔ９）。
【００６８】
電話装置Ｂのユーザは、報知（Ｔ９）によって他の電話装置から文字データが送信されたことを知ると、通話中でも送られてきた文字データを確認することができる。文字データを確認した結果、至急の要件である場合など、電話装置Ｂのユーザが発呼者とすぐに連絡をとる必要があると考えた場合には、現在行っている通話を切断又は保留して、電話装置Ａとの通話に切り替えるなどの対応ができる。
【００６９】
本実施形態による電話装置によれば、通話中の相手に発信者の意向を伝えることができる。また、相手先が通話中である旨の通知が行われてから所定の期間が経過する前に声を発して音声を入力すれば、入力された音声が自動的に文字データに変換され、相手先の電話に送信されるため、煩わしい処理を行うことなく、通話中の相手により容易に自己の意向を伝えることができる。
【００７０】
＜変形例１＞
上述の携帯電話機１ａにおいて、所定の条件とは、相手先が通話中である旨の通知が行われてから第１期間が経過する前に音声が入力されることであったが、それ以外に、例えば、発呼者によって音声認識を行う旨の指示がなされることであってもよい。その場合、条件判断部１０６は、入力部１０５から、ユーザによって音声認識を行うための操作がなされたこと示す信号が入力された際に、所定の条件が満たされたと判断する。
【００７１】
この構成によれば、発呼者によって音声認識を行う旨の指示がなされた場合に、音声認識が行われ、文字データが相手先に送信されるので、自分が発した言葉が意図せず文字データとして相手先に送信されるといったことを抑止することができる。
【００７２】
＜変形例２＞
上述の携帯電話機１ａは、音声入力部１０５ａに入力された音声を音声認識部１０７によって文字データに変換したあと、その文字データを自動的に電話装置Ｂに送信していたが、変換後の文字データを一旦表示部１０２（出力部１０３に含まれる。）に表示させてもよい。この場合、携帯電話機１ａは、ユーザが入力部１０５に対して、表示された文字データを送信するための操作を行った場合に文字データを送信することができる。
【００７３】
この構成によれば、相手先に文字データが送信される前にその内容を携帯電話機１ａのユーザが確認することができるため、当該ユーザが不意につぶやいた内容が意図せず文字
データとして相手先に送信されるといったことを抑止することができる。
【００７４】
（第２の実施形態）
次に、本発明の第２の実施形態による携帯電話機１ｂについて説明する。本実施形態による携帯電話機１ｂが、第１の実施形態による携帯電話機１ａと異なる点は、音声認識部１０７が、所定の条件が満たされてから所定の期間（第２期間）が経過するまでに音声入力部１０５ａに入力された音声を認識する点である。
【００７５】
図１２は、携帯電話機１ｂ（電話装置Ａ）における当該機能を発揮するための構成の一例を示す機能ブロック図である。なお、図１２において、図５に示す機能ブロック図と同様の構成には同様の符合を付し、説明を省略する。本実施形態による携帯電話機１ｂでは、条件判断部１０６が所定の条件を満たしたと判断すると、音声認識部１０７のみならず計時部１０４が機能する。
【００７６】
本実施形態による携帯電話機１ｂにおいて、計時部１０４は、条件判断部１０６が所定の条件を満たしたと判断すると、時間の計測を開始する。計測を開始してから所定の期間（以下、第２期間）が経過すると、第２期間が経過したことを示す信号（以下、「第２期間経過通知信号」という。）を音声認識部１０７に出力する。
【００７７】
音声認識部１０６は、計時部１０４から第２期間経過通知信号を受け取ると、条件判断部１０６によって所定の条件が満たされたと判断されてから、第２期間経過通知信号を受け取るまでの間に音声入力部１０５に入力された音声を認識して、文字データに変換し、その文字データを通信部１０１に出力する。
【００７８】
なお、音声認識部１０６は、条件判断部１０６によって所定の条件が満たされたと判断されてから第２期間が経過するまでの間に切断検出部１０８より切断処理が行われたと判断された場合には、条件判断部１０６によって所定の条件が満たされたと判断されてからその切断検出部１０８より切断処理が行われたと判断されるまでの間に音声入力部１０５ａに入力された音声を認識して、文字データに変換し、その文字データを通信部１０１に出力してもよい。
【００７９】
図１３は、本実施形態による携帯電話機１ｂにおける発呼処理を示すフローチャートである。なお、以下では、図８のフローチャートにおける工程と同様の工程については説明を省略する。図１３に示すように、制御部１１は、第１期間内に音声入力部１４を介して音声が入力されたか否か判断し（Ｓ８）、音声が入力されたと判断すると（Ｓ８：ＹＥＳ）、所定の条件を満たしたとして、次に、第２期間が経過したか否か判断する（Ｓ３１）。
【００８０】
第２期間が経過していないと判断する場合（Ｓ３１：ＮＯ）、制御部１１は、音声入力部１４に入力される音声を受け付ける（Ｓ３２）。そして、制御部１１は、タッチ検出部１３又はキー入力部１７に対して、通話を切断するためのユーザ操作があったか否かを判断することにより、切断処理が行われたか否か判断する（Ｓ３３）。
【００８１】
切断処理が行われなかったと判断した場合（Ｓ３３：ＮＯ）、制御部１１は、ステップ３１に戻って処理を実行する。
【００８２】
ステップ３１において、第２期間が経過したと判断する場合（Ｓ３１：ＮＯ）、制御部１１は、例えば、記憶部２２に記憶されているアプリケーション等を利用して、第２期間が経過するまでに入力された音声を文字データに変換し（Ｓ３４）、その文字データを、無線通信部１９を介して電話装置Ｂに送信する（Ｓ３５）。
【００８３】
ステップ３３において、切断処理が行われたと判断する場合（Ｓ３３：ＹＥＳ）、制御部１１は、切断処理が行われるまでに入力された音声を文字データに変換し（Ｓ３６）、その文字データを、無線通信部１９を介して電話装置Ｂに送信する（Ｓ３７）。その後、制御部１１は、電話装置Ａに電話装置Ｂとの間の通信を切断させ（Ｓ３８）、本処理を終了する。
【００８４】
本実施形態による携帯電話機１ｂによれば、限られた期間内に入力された音声を文字データに変換して送信することから、端的なメッセージをより早く相手先に送信することができる。よって、発呼を行った相手先が通話中の場合に、より早く相手に自分の意向を伝えることができる。
【００８５】
なお、第２の期間は、予め設定されていても、携帯電話機１ｂのユーザが任意に設定可能であってもよい。
【００８６】
（第３の実施形態）
次に、本発明の第３の実施形態による携帯電話機１ｃについて説明する。本実施形態による携帯電話機１ｃが、第１の実施形態による携帯電話機１ａと異なる点は、電話装置Ｂが他の電話装置（電話装置Ｃ）と通話中であった場合に、音声入力部に入力された音声のデータをそのまま送信するか又は文字データを送信するかを選択可能である旨の報知を行う点、携帯電話機１ｃのユーザの選択に応じて音声データ又は文字データを送信する点である。ここで、音声入力部に入力された音声のデータをそのまま送信する場合とは、電話装置Ｂ又は外部のサーバに音声データを記録する、いわば留守番電話サービスを利用する場合等が挙げられる。
【００８７】
図１４は、携帯電話機１ｃ（電話装置Ａ）における当該機能を発揮するための構成の一例を示す機能ブロック図である。なお、図１４において、図５に示す機能ブロック図と同様の構成には同様の符合を付し、説明を省略する。図１４に示すように、通信部１０１は、音声データ送信部１０１ｄを有し、出力部１０３は、選択報知部１０３ｃを有する。
【００８８】
選択報知部１０３ｄは、話中検出部１０２により電話装置Ｂが他の電話装置（電話装置Ｃ）と通話中であると判断されると、携帯電話機１ｃのユーザ、すなわち発呼者に対し、音声入力部１０５ａに入力された音声のデータをそのまま送信するか又は文字データを送信するかを選択可能である旨の報知を行う。この報知は、音声出力部１５によって音声が出力される、又は振動発生部１８により携帯電話機１ｃの本体が振動させられることにより行われてもよい。また、当該通知は、表示部１２にメッセージ等の何らかの表示がなされることにより行われてもよく、さらには、これらが組み合わされることにより行われてもよい。
【００８９】
条件判断部１０６は、話中検出部１０２により電話装置Ｂが電話装置Ｃと通話中であると判断されると、所定の条件が満たされたか否か判断する。本実施形態において、所定の条件とは、ユーザによって、音声入力部１０５ａに入力された音声のデータをそのまま送信するか又は文字データを送信するかのいずれかが選択されることである。条件判断部１０６は、例えば、入力部１０５（タッチ検出部１３又はキー入力部１７など）から出力される信号に応じて、文字データを送信することが選択されたと判断すると、その旨を音声認識部１０７に通知する。一方、音声のデータを送信することが判断されたと判断すると、その旨を通信部１０１に通知する。
【００９０】
図１５は、本実施形態による携帯電話機１ｃにおける発呼処理を示すフローチャートである。なお、以下では、図８のフローチャートにおける工程と同様の工程については説明
を省略する。図１３に示すように、制御部１１は、新たな発呼処理を行った場合（Ｓ１）、相手先の電話装置Ｂが電話装置Ｃと通話中であるか否か判断する（Ｓ２）。通話中であると判断した場合（Ｓ２：ＹＥＳ）、制御部１１は、音声入力部１４に入力された音声のデータをそのまま送信するか又は文字データを送信するかを選択可能である旨の報知を行う（Ｓ４１）。
より具体的に、制御部１１は、留守番電話サービス（留守録モード）、およびショートメッセージサービス（ＳＭＳモード）のいずれを選択するのかをユーザに問い合わせるメッセージを音声出力部１５に音声で出力させる、又は表示部１２に表示させることができる。
【００９１】
次に、制御部１１は、タッチ検出部１３又はキー入力部１７に対するユーザの操作を検知することにより、携帯電話機１ｃのユーザが、留守録モードとＳＭＳモードのいずれを選択したか判断する（Ｓ４２）。ＳＭＳモードを選択したと判断した場合（Ｓ４２：ＳＭＳモード）、制御部１１は、図８におけるステップ５に進んで処理を行う。
【００９２】
一方、留守録モードを選択したと判断した場合（Ｓ４２：留守録モード）、制御部１１は、音声入力部１４および無線通信部１９を制御して、音声入力部１４に入力された音声を、無線通信部１９を介して送信させる。
【００９３】
次に、制御部１１は、タッチ検出部１３又はキー入力部１７に対して通話を切断するためのユーザ操作があったか否かを判断することにより、切断処理が行われたか否か判断する（Ｓ４４）。
【００９４】
切断処理が行われたと判断した場合（Ｓ４４：ＹＥＳ）、制御部１１は、本処理を終了する。切断処理が行われなかったと判断する場合（Ｓ４４：ＮＯ）、制御部１１は、ステップ４３に戻って処理を繰り返す。
【００９５】
本実施形態による電話装置によれば、ＳＭＳモードと留守録モードとを選択可能であることから、当該電話装置のユーザは、特に急ぎの用件でない場合などは、留守番電話サービスを利用して自己の意向を伝えることができる。
【００９６】
＜変形例１＞
なお、上述の携帯電話機１ｃにおいても、第２の実施形態の構成が適用可能である。すなわち、ＳＭＳモードが選択されたとき、携帯電話機１ｃの音声認識部１０７は、所定の条件が満たされてから第２期間が経過するまでに音声入力部１０５ａに入力された音声を認識して、文字データに変換してもよい。この場合、携帯電話機１ａは、第２期間内に音声入力がなかったとき、留守録モードに切り替えるか否かをユーザに問い合わせるメッセージを出力させてもよい。
【００９７】
この構成によれば、発呼者は、自己の意向をより早く相手に伝えることができるとともに、第２期間内に音声を入力できなかった場合にも、留守番電話サービスを利用して相手先にメッセージを残す機会を得ることができる。
【００９８】
＜変形例２＞
上述の携帯電話機１ｃにおいてＳＭＳモードが選択されたとき、制御部１１が、入力された音声が不明瞭である場合など、当該音声を文字データに変換することが困難であると判断した場合、制御部１１は、自動的にＳＭＳモードから留守録モードに切り替えるようにしてもよい。
【００９９】
この構成によれば、意味不明なメッセージが通話中の相手先に送信されることを抑止し
、発呼者は、自己の意向をより確実に相手先に伝えることができる。
【０１００】
なお、第１乃至第３の実施形態による電話装置において、音声入力部１４に入力された音声のうち所定の音量レベル以上の音声、又は電話装置Ａのユーザの声であると認識できる音声のみを文字データに変換可能なように構成することも可能である。
【０１０１】
また、第１乃至第３の実施形態による電話装置において、電話装置Ｂと電話装置Ｃが通話中に電話装置Ａが電話装置Ｂに文字データを送信する場合、制御部１１が、入力された音声が不明瞭である場合など、当該音声を文字データに変換することが困難であると判断した場合は、予め記憶部２２に記憶しておいた定型文を本文とするショートメッセージを電話装置Ｂに送信してもよい。定型文は、例えば、「○○（電話装置Ａのユーザ）です。至急の要件があります。」などであってよい。
【０１０２】
なお、第１乃至第３の実施形態による電話装置において、図８，図９,図１３および図
１５に示した発呼処理の途中で携帯電話機１ａ，１ｂ，１ｃのユーザによって切断処理が行われた場合には、それぞれの処理が終了し、電話装置Ｂに着信履歴が残されてもよい。
【０１０３】
この発明が詳細に説明され図示されたが、それは単なる図解および一例として用いたものであり、限定であると解されるべきではないことは明らかであり、この発明の精神および範囲は添付されたクレームの文言によってのみ限定される。
【符号の説明】
【０１０４】
１：携帯電話機
２：筐体
３：ディスプレイ
４：タッチパネル
５：マイクロフォン
６：通話スピーカ
７：外部スピーカ
８：撮像レンズ
【図１】
2015050471.tif 000003
【図２】
2015050471.tif 000004
【図３】
2015050471.tif 000005
【図４】
2015050471.tif 000006
【図５】
2015050471.tif 000007
【図６】
2015050471.tif 000008
【図７】
2015050471.tif 000009
【図８】
2015050471.tif 000010
【図９】
2015050471.tif 000011
【図１０】
2015050471.tif 000012
【図１１】
2015050471.tif 000013
【図１２】
2015050471.tif 000014
【図１３】
2015050471.tif 000015
【図１４】
2015050471.tif 000016
【図１５】
2015050471.tif 000017